【事件の表示】
　商願２００１−３２９７５拒絶査定不服審判事件について、次のとおり審決する。
【結　論】
　本件審判の請求は、成り立たない。
【理　由】
１　本願商標
　本願商標は、「いい家朝日」の文字を書してなり、第１６類、第３５類、３６類及び第４１類に属する願書記載のとおりの商品及び役務を指定商品及び指定役務として、平成１３年４月１０日に登録出願されたものであるが、その後、指定商品については、平成１４年９月１９日付け手続補正書によって、第３５類「住宅展示場の企画・運営又は開催」及び第３６類「建物の管理，建物の貸借の代理又は媒介，建物の貸与，建物の売買，建物の売買の代理又は媒介，建物又は土地の鑑定評価，土地の管理，土地の貸借の代理又は媒介，土地の貸与，土地の売買，土地の売買の代理又は媒介，建物又は土地の情報の提供」と補正されたものである。
　    　
２　引用商標
　原査定において、本願の拒絶の理由に引用された登録第３０３９９２６号商標（以下、「引用商標１」という。）は、別掲１のとおりの構成よりなり、第３５類に属する商標登録原簿に記載のとおりの役務を指定役務として、平成４年９月２９日登録出願、平成７年４月２８日に設定登録されたものである。
　同じく、登録第３２１８５０５号商標（以下、「引用商標２」という。）は、別掲１のとおりの構成よりなり、第４１類に属する商標登録原簿に記載のとおりの役務を指定役務として、平成４年９月２９日登録出願、平成８年１１月２９日に設定登録されたものである。
　同じく、登録第３３０２２１０号商標（以下、「引用商標３」という。）は、別掲２のとおりの構成よりなり、第３６類に属する商標登録原簿に記載のとおりの役務を指定役務として、平成４年９月２８日登録出願、平成９年５月９日に設定登録されたものである。
　同じく、登録第３３０２２１１号商標（以下、「引用商標４」という。）は、「朝日」の文字を書してなり、第３６類に属する商標登録原簿に記載のとおりの役務を指定役務として、平成４年９月２８日登録出願、平成９年５月９日に設定登録されたものである。
　同じく、登録第３３０２２１２号商標（以下、「引用商標５」という。）は、別掲３のとおりの構成よりなり、第３６類に属する商標登録原簿に記載のとおりの役務を指定役務として、平成４年９月２８日登録出願、平成９年５月９日に設定登録されたものである。　　　　
　同じく、登録第３３０２２１３号商標（以下、「引用商標６」という。）は、別掲４のとおりの構成よりなり、第３６類に属する商標登録原簿に記載のとおりの役務を指定役務として、平成４年９月２８日登録出願、平成９年５月９日に設定登録されたものである。
　同じく、登録第４０４８６５７号商標（以下、「引用商標７」という。）は、別掲１のとおりの構成よりなり、第３６類に属する商標登録原簿に記載のとおりの役務を指定役務として、平成４年９月２９日登録出願、平成９年８月２９日に設定登録されたものである。
　　　    　
３　当審の判断
　本願商標は、その指定役務については、前記１のとおり補正された結果、原査定において本願商標の拒絶の理由に引用された引用商標２の指定役務と同一又は類似の役務については、すべて削除されたものと認め得るところである。
　そこで、本願商標と引用商標１、３ないし７との類否について判断するに、本願商標は、「いい家朝日」の文字よりなるところ、その構成中の「いい家」の文字は、住みやすい家等（質）を表す語としてこの種業界においては普通に使用されているところである。
　このことは、以下のインターネットホームページ情報からも窺い知ることができる。
（１）［PDF] LONG LIFE それは、いい家づくりの基準です。 μ ...
「ファイルタイプ: PDF/Adobe Acrobat... 企 画 部 門 LONG LIFE それは、いい家づくりの基準です。 旭化成ホームズ株式会社（旭化成株式会社） 受賞代表者 代表取締役社長 岡本 利明 氏 広告活動の実際2003年4月21日28日付（8日間連続シリーズ）で朝日、毎日、 読売 ... 」との記述
（www.pressnet.or.jp/adarc/d_pdf/nap） 
（２）いい家の条件1
「これは簡単。 使ってみたい製品 ４ 朝日ウッドテック株式会社レイヤー引き戸. 今までにない新しいタイプのドアリフォーム。片開きドアを簡単施工で引戸に変えることができます ... 」との記述
（www.newplan.co.jp/osusume2-4.htm）
（３）朝日の住宅情報センター
「... 代表者, 加藤 淳 店長. 社員紹介, 課長・社員の紹介はこちらから. リフォーム,各店で受付けてます。 横浜店物件一覧, ・いい街いい家 朝日住宅新聞増刊号, 売却したい方はこち」との記述 
（www.asahi-jutaku.co.jp/yokohama ） 
（４）Yahoo! JAPAN - 地域情報  日本の地方  関東  東京都 
「朝日地所 - 新玉川線、小田急線沿線を中心にした、賃貸、売買物件情報。朝日住宅  ・, 朝日土地建物 - 各店舗の案内。物件検索。 ... いい家サイト-売主直売物件を検索。希望物件の登録、買主代理サービスも。 ... 」との記述
（dir.yahoo.co.jp/Regional/Japanese_Regions/ Kanto/Tokyo/Business_and_Economy/Shopping_and_Services/Real_Estate） 
（５）住まいの新築 ...
「新築、リフォーム、増改築をお考えの方を応援する「いい家ネット」。全国の工務店を探せる「全国工務店検索」、現場見学会などを探せる「全国現場見学会検索」、その他プランニングや建築資金のノウハウなど充実した ...」との記述 
（www.ii-ie.net）
（６）いい家創ろう小事典
「... 家を建てよう リフォームしよう ・・んーその前に知っていればよかったことっていっぱいあるんですね。ゼヒ参考にしていつまでも満足できるいい家を創って下さい ... 」との記述
（www.newplan.co.jp） 
（７）新築一戸建て注文住宅＆建て替えの前に。住まい ...
「... 知っておきたい！ いい家づくりの基本, マイホームを建てるなら最低限知っておきたい、いい家つくりの基本。 いい家づくりの基本にGO！ 誰も教えてくれない！ プランづくりのツボ！ ... 」との記述
（www.foryourlife.info/ogj-house ）
（８）Amazon.co.jp： 本: いい家は無垢の木と漆喰で建てる
「... いい家は無垢の木と漆喰で建てる神崎 隆洋 (著) 価格： ￥1,890 （税込）新品/ユーズド価格 : ￥1,880より ... レビュー 日経BP企画 いい家は無垢の木と漆喰で建てる 新刊紹介. 木造住宅のシックハウス対策マニュアル. ... 」との書籍に関する記述
（www.amazon.co.jp/exec/obidos/ASIN/4478680183）
（９）いい家つくろう研究所
「いい家つくろう研究所. 研究テーマを募集しています。建築・不動産・金融に関するテーマや疑問をお寄せください。御一緒に考えましょう！higane@msh.biglobe.ne.jp 比金工務店は、建築 ... 」との記述
（www.higane.co.jp/iietukuro.htm ） 
（１０）イーエスブックス - 本 - 「いい家」ってどんな家 ...
「... お問い合わせ ・, カスタマーサービス. 「いい家」ってどんな家？理想のマイホームの造り方、教えます。 「いい家」ってどんな家　理想のマイホームの造り方、教えます。 著者/訳者名, ：, 矢吹光衛／著. ... 」との書籍に関する記述
（esbooks.yahoo.co.jp/books/detail-accd）
（１１）イーエスブックス - 本 - 宮脇檀の「いい家」の本
「... 洋書を買いたい. お問い合わせ ・, カスタマーサービス. 宮脇檀の「いい家」の本, 文庫み１３− ３ 宮脇檀の「いい家」の本, 著者/訳者名, ：, 宮脇 檀著. 出版社, ：,ＰＨＰ研究所 (ISBN：4-569-66248-X). 発行年月, ：, 2004年8月. ... 」との書籍に関する記述
（esbooks.yahoo.co.jp/books/detail-accd）
（１２）住宅プロデューサーの本 - ［建築家］All About Japan
「建築家ガイドの坂本が書いた『こんな“いい家”がつくれる』がＰＨＰ研究所から発売されました。テーマはズバリ、住宅プロデューサー。建て主と建築家をつなぐプロデューサーの仕事を現場からレポートします。 ... 」との記述
（allabout.co.jp/house/architect/closeup/CU20031213）
（１３）新築情報サイト「いい家ネット」
「ビルダー様のIT革命をバックアップ。 インターネットを使った見込み客様獲得のご支援を行います。 新築情報サイト 「いい家ネット」. ■インターネットによる見込客様獲得. 世の中はまさにインターネット時代 ... 」との記述
（www.tostemhousing.co.jp/support/information/default.htm） 
（１４）「いい家」がほしい。 創英社三省堂 松井修三
「■ まごころこめて読者まで ■ ＢＯＯＫ−ＮＥＴ ＳＥＩＫＩＮＤＯ. 「いい家」がほしい。 創英社三省堂 松井修三, 「いい家」がほしい。 創英社三省堂 松井修三ISBN4881422200 外断熱・家づくりのバイブル！！ ２１世紀は... 」との書籍に関する記述
（www.atc.ne.jp/seikindo/html/iiiegahosii.htm） 
（１５） 丸七ホーム株式会社
「いい家をつくる会, 会社案内, 資料請求, top, トピックス, ただ今建築中！ソーラーサーキットの家, いい家が欲しい, 施工例, 商品・工法など,リンク集. 『「いい家」が欲しい。』」との記述
（www.marushichi.co.jp/eie） 
（１６）いい家ネット 北海道限定 北海道工房発
「... お客様のお申し込みから「いい家」完成までのながれ. ... 『いい家』着工確認申請が終わり、ご契約。 そして、いよいよ『いい家』づくりが始まります。 ※完了検査を行います。 ■■■『いい家』完成」との記述 
（www.iiie-net.com/contents/system） 
（１７）『いい家』を建てるために　株式会社アキ ...
「『いい家』を建てるために. （株）アキは、以下の3つの方針に沿って『いい家』づくりを実践しています。 西は石川県金沢市近郊から東は富山県富山市近郊までが、（株）アキの営業エリアです ... 」との記述
（www.k-aki.com/aboutaki/chara.html）
　
　以上の事実より、「いい家」の文字は、質の良い家、住み良い家であることを表すために普通に使用されているものである。
　そうすると、本願商標は、その構成中の「いい家」の文字が、その指定役務との関係では、質の良い家、住み良い家に関する役務であることを認識させるに止まり、単に役務の質等を表示するにすぎないものであるから、結局、その構成中の後半の「朝日」の文字部分が自他役務の識別標識として把握され、これより生ずる「アサヒ」の称呼及び「朝昇る太陽、ひので」の観念をもって取引に資される場合も決して少なくないものというのが相当である。
　他方、引用商標１、３、５ないし７は、別掲のとおり、図形と「Ａｓａｈｉ」、「朝日」及び「ＡＳＡＨＩ」との組み合わせからなるところ、それぞれの図形とその構成文字とは一体に把握しなければならない格別の理由は認められないことから、その構成文字が独立して自他役務の識別標識としての機能を果たし得るものといえる。
　そうとすれば、引用商標１、３、５ないし７は、それぞれの構成文字に相応して「アサヒ」の称呼及び「朝昇る太陽、ひので」の観念を生ずるものといわざるを得ない。また、引用商標４は、「朝日」の文字よりなるものであるから、該文字に相応して「アサヒ」の称呼及び「朝昇る太陽、ひので」の観念を生ずるものである。
　してみれば、本願商標と引用商標１、３ないし７とは、その外観において相違するところがあるとしても、「アサヒ」の称呼及び「朝昇る太陽、ひので」の観念を同じくする類似の商標であり、かつ、本願商標の指定役務と引用商標の指定役務とは、同一又は類似のものである。
　したがって、本願商標が商標法第４項第１項第１１号に該当するとした原査定は、妥当であって、取り消すことはできない。
　よって、結論のとおり審決する。